(57)【要約】【課題】  本発明は、従来にない作用効果を発揮する画期的なスラリ濃度測定装置を提供することを目的とする。【解決手段】  液体と粒体とを混合したスラリが導入されるスラリ被測定部１の重量を測定することで該スラリの濃度を測定するように構成されたスラリ濃度測定装置であって、前記スラリ被測定部１は、スラリを導入するスラリ導入部２とスラリを導出するスラリ導出部３とが設けられ、少なくともスラリ導入部２はスラリ被測定部１の側方位置に連設されて該スラリ被測定部１内にスラリを略水平方向に導入するように構成されたものである。【選択図】      図１
2005338028.tif 000002
【特許請求の範囲】
【請求項１】
液体と粒体とを混合したスラリが導入されるスラリ被測定部の重量を測定することで該スラリの濃度を測定するように構成されたスラリ濃度測定装置であって、前記スラリ被測定部は、スラリを導入するスラリ導入部とスラリを導出するスラリ導出部とが設けられ、少なくともスラリ導入部はスラリ被測定部の側方位置に連設されて該スラリ被測定部内にスラリを略水平方向に導入するように構成されていることを特徴とするスラリ濃度測定装置。
【請求項２】
請求項１記載のスラリ濃度測定装置において、前記スラリ被測定部には該スラリ被測定部の略水平方向への移動を許容する移動手段が設けられていることを特徴とする濃度測定装置。
【請求項３】
請求項１，２いずれか１項に記載のスラリ濃度測定装置において、前記移動手段として前記スラリ被測定部の下部に配設される回転体から成る移動手段が採用されていることを特徴とするスラリ濃度測定装置。
【請求項４】
請求項１〜３いずれか１項に記載のスラリ濃度測定装置において、前記スラリ被測定部は、管部材を巻回して成る構成であり、前記管部材の少なくとも一端部をスラリ被測定部の側方に位置せしめて前記スラリ導入部としたことを特徴とするスラリ濃度測定装置。
【発明の詳細な説明】
【技術分野】
【０００１】
本発明は、スラリ濃度測定装置に関するものである。
【背景技術】
【０００２】
ガラス板や樹脂フィルムなどのワークの表面処理を行なうウエットブラスト処理装置で使用されるスラリは、液体と粒体（砥粒）とを混合したものであり、液体に混入する粒体の量（重量）や大きさで変化するスラリ濃度によってブラスト処理する処理内容が決定される。従って、このスラリ濃度を測定して管理する作業は、ウエットブラスト処理の処理精度を維持する上で非常に重要である。
【０００３】
ところで、従来から行なわれているスラリ濃度の測定方法としては、スラリをメスシリンダーに入れて目視により測定する方法や、或いは、スラリを入れたメスシリンダーの重量を測定し、予めこのメスシリンダーに同量（同一体積）の液体のみを入れた場合の重量と比較してスラリ濃度を測定する方法などがあるが、いずれも手作業故に非常に作業能率が悪くて測定精度も低く、しかも、ウエットブラスト処理の処理性能を決定するスラリ濃度がリアルタイムに測定することができない（処理性能が十分に保証されない）などの問題点があった。
【０００４】
そこで、従来においてもスラリ濃度を機械的に測定し得るようにしたスラリ濃度測定装置（実開平６−６６９５２）が提案されている（以下、従来例という。）。
【０００５】
この従来装置は、前述したスラリの重量を測定してスラリ濃度を測定する方法を応用したものであり、具体的には、一定内径を有する可撓性管を巻回してなり、スラリ導入部及びスラリ導出部を有するスラリ被測定部と、このスラリ被測定部の直下に設けられた重量測定器と、重量測定器の測定値からスラリ被測定部のスラリの濃度を演算して表示する演算表示装置とから成り、スラリ導入部から導入されたスラリは、スラリ被測定部を通過した後、スラリ導出部から導出するように構成されており、このスラリがスラリ被測定部内を通過する際のスラリ被測定部の重量を測定することでスラリ濃度を測定するものである。
【０００６】
従って、この従来例は、スラリ導入部及びスラリ導出部夫々をウエットブラスト処理装置のスラリ流路に接続することで、ウエットブラスト処理装置の稼動中であってもスラリ濃度を測定することができる。
【０００７】
【特許文献１】実開平６−６６９５２公報
【発明の開示】
【発明が解決しようとする課題】
【０００８】
ところが、従来例は、スラリ被測定部の上部にスラリ導入部が連設され、このスラリ導入部から導入されたスラリは、スラリ導入部内を上方から下方へ導入圧がかかった状態で通過することになる為（スラリ被測定部を下方へ押し下げることになる為）、このスラリの導入圧が重量測定装置における重量測定に誤差を生じさせ、精度の高いスラリ濃度の測定が行なえないのが現状である。
【０００９】
本出願人は、前述した問題点に着目し、種々の実験・研究を繰り返し行なった結果、従来にない作用効果を発揮する画期的なスラリ濃度測定装置を開発した。
【課題を解決するための手段】
【００１０】
添付図面を参照して本発明の要旨を説明する。
【００１１】
液体と粒体とを混合したスラリが導入されるスラリ被測定部１の重量を測定することで該スラリの濃度を測定するように構成されたスラリ濃度測定装置であって、前記スラリ被測定部１は、スラリを導入するスラリ導入部２とスラリを導出するスラリ導出部３とが設けられ、少なくともスラリ導入部２はスラリ被測定部１の側方位置に連設されて該スラリ被測定部１内にスラリを略水平方向に導入するように構成されていることを特徴とするスラリ濃度測定装置に係るものである。
【００１２】
また、請求項１記載のスラリ濃度測定装置において、前記スラリ被測定部１には該スラリ被測定部１の略水平方向への移動を許容する移動手段４が設けられていることを特徴とする濃度測定装置に係るものである。
【００１３】
また、請求項１，２いずれか１項に記載のスラリ濃度測定装置において、前記移動手段４として前記スラリ被測定部１の下部に配設される回転体から成る移動手段４が採用されていることを特徴とするスラリ濃度測定装置に係るものである。
【００１４】
また、請求項１〜３いずれか１項に記載のスラリ濃度測定装置において、前記スラリ被測定部１は、管部材５を巻回して成る構成であり、前記管部材５の少なくとも一端部をスラリ被測定部１の側方に位置せしめて前記スラリ導入部２としたことを特徴とするスラリ濃度測定装置に係るものである。
【発明の効果】
【００１５】
本発明は上述のように構成したから、高精度なスラリ濃度の測定が行なえるなど従来にない作用効果を発揮する画期的なスラリ濃度測定装置となる。
【発明を実施するための最良の形態】
【００１６】
好適と考える本発明の実施形態を、図面に基づいて本発明の作用を示して簡単に説明する。
【００１７】
本発明は、前述した従来装置と同様、スラリの重量を測定してスラリ濃度を測定する方法を応用したものであり、スラリ導入部２から導入されたスラリはスラリ被測定部１を通過してスラリ導出部３から導出され、このスラリ被測定部１を通過する際のスラリ被測定部１の重量を測定することでスラリ濃度を測定する。
【００１８】
ところで、本発明は、少なくともスラリ導入部２はスラリ被測定部１の側方位置に連設されて該スラリ被測定部１内にスラリを略水平方向に導入するように構成されており、この構成から極めて高精度なスラリ濃度の測定を行なうことができる。
【００１９】
即ち、スラリをスラリ被測定部１にスラリ導入圧が作用することのない略水平方向から導入するから、スラリの導入によりスラリ被測定部１が鉛直方向に押し下げられることがなく（例えばスラリを下方からスラリ被測定部１に導入すると該スラリ被測定部は上方に押し上げられる。）、スラリ導入部２からスラリを導入する際の導入圧による悪影響を可及的に防止することができる。
【００２０】
従って、本発明は、スラリ被測定部１の重量測定が極めて高精度に行なわれる為、極めて高精度なスラリ濃度の測定を行なうことができる。
【００２１】
また、請求項２記載の発明においては、スラリ被測定部１に該スラリ被測定部１の略水平方向への移動を許容する移動手段４が設けられているから、この移動手段４により、スラリ導入部２からスラリ被測定部１にスラリを導入した際、このスラリ導入部２から導入されるスラリの導入圧によりスラリ被測定部１が略水平方向へ移動する為、スラリ導入部２から導入される略水平方向へのスラリ導入圧を緩和することができ、より一層スラリ導入圧による悪影響を防止することができる。
【実施例】
【００２２】
本発明の具体的な実施例について図面に基づいて説明する。
【００２３】
本実施例は、液体と粒体とを混合したスラリを配設したスラリ被測定部１の重量を測定することで該スラリの濃度を測定するように構成されたものである。
【００２４】
具体的には、本実施例は、ボックス形状の基体６の上部にスラリを導入するスラリ被測定部１を設け、この基体６には、スラリが導入された状態のスラリ被測定部１の重量を測定する重量測定装置７と、この重量測定装置７の測定値から、スラリ被測定部１を通過するスラリ濃度を演算して表示する演算表示装置８が具備せしめられている。
【００２５】
スラリ被測定部１は、基体６の上部に載置されるフレーム体９と、このフレーム体９内に設けられる巻回体10とで構成されている。
【００２６】
フレーム体９は、図１，２に図示したように円盤状の下板９ａの上面周縁部に複数（計８本）の支柱９ｂを立設し、この各支柱９ｂの上端部に環状の上板９ｃを配設したものであり、下板９ａの下面四箇所には回転体４が設けられている。
【００２７】
この回転体４は、基体６上をスラリ被測定部１が略水平方向（図２中矢印ａ方向）へ移動するのを許容する移動手段であり、後述するスラリ導入部２からスラリ被測定部１内へスラリを導入した際、このスラリ被測定部１内での略水平方向へのスラリ導入圧を緩和するように構成されている。
【００２８】
尚、このスラリ被測定部１を略水平方向へ移動させる移動手段４としては、回転体４の他にも、例えばスラリ被測定部１と重量測定装置７との接触面を摩擦抵抗の極めて低い滑面構造とするなど、本実施例の特性を発揮する構成であれば適宜採用し得るものである。
【００２９】
この巻回体10は、図１，２に図示したように適宜な可撓性を有する管部材５を巻回して構成されており、前述したフレーム体９内に巻回状態で配設されている。
【００３０】
具体的には、管部材５をフレーム体９内に配設するに際し、フレーム体９の下方から上方へ螺旋状に巻回し、フレーム体９の上部まで達した後、この下方から上方へ螺旋状に巻回された部位の内側を上方から下方へ螺旋状に巻回した２重構造である。
【００３１】
この管部材５の両端部は、夫々巻回体10の下部側方位置から突出状態となるように構成されており、この管部材５の一方の端部をスラリ導入部２とし、他方の端部をスラリ導出部３としている。
【００３２】
このスラリ被測定部１に設けられたスラリ導入部２及びスラリ導出部３は、夫々ウエットブラスト処理装置のスラリ流路に接続する接続部２ａ，３ａが設けられている。
【００３３】
従って、このスラリ導入部２からスラリがスラリ被測定部１内に略水平方向に導入され、この導入圧によりスラリ被測定部１内を通過したスラリはスラリ導出部３からスラリ被測定部１外に略水平方向に導出されることになる。
【００３４】
本実施例は上述のように構成したから、スラリ濃度の測定に際し、スラリ導入部２から導入されたスラリはスラリ被測定部１を通過してスラリ導出部３から導出されることになり、このスラリ被測定部１を通過する際のスラリ被測定部１の重量を測定することでスラリ濃度を測定する。
【００３５】
スラリ導入部２はスラリ被測定部１の側方位置に連設されて該スラリ被測定部１内にスラリを略水平方向に導入するように構成されており、スラリをスラリ被測定部１内へ重量を測定する方向と関係のない略水平方向に導入することで、このスラリの導入圧がスラリ被測定部１を下方に押し下げたり、反対に、上方に押し上げたりすることがないなど、スラリ導入部２から導入されるスラリの導入圧がスラリ被測定部１の重量を測定する際に悪影響を及ぼしてしまうのを可及的に防止することができる。
【００３６】
よって、本実施例によれば、ウエットブラスト処理装置の稼動中であってもスラリ濃度を測定することができ、しかも、スラリ被測定部１の重量測定が極めて高精度に行なわれることになる為、極めて高精度なスラリ濃度の測定が行なわれることになる。本出願人は、本装置により従来例では不可能とされるスラリ濃度１％までは正確に測定し得ることを実験により確認している。
【００３７】
また、本実施例は、スラリ被測定部１として管部材５を螺旋状に巻回して成るスラリ被測定部１を採用し、前記管部材５の少なくとも一端部をスラリ被測定部１の下部側方位置に配して前記スラリ導入部２としたから、スラリ被測定部１へ導入された直後のスラリは、管部材５を螺旋状に巻回して成るスラリ被測定部１内を徐々に上方へ向けて流れることになるから、より一層スラリの導入圧がスラリ被測定部１の重量を測定する際に悪影響を及ぼしてしまうのを可及的に防止することができる。
【００３８】
また、本実施例は、スラリ被測定部１に該スラリ被測定部１の略水平方向への移動を許容する移動手段４を設け、この移動手段４により、スラリ導入部２からスラリ被測定部１にスラリを導入した際、このスラリ導入部２から導入されるスラリの導入圧によりスラリ被測定部１が略水平方向へ移動し得るように構成されているから、より一層スラリの導入圧がスラリ被測定部１の重量を測定する際に悪影響を及ぼしてしまうのを可及的に防止することができる。
【００３９】
また、本実施例は、移動手段４としてスラリ被測定部１の下部に配設される回転体から成る移動手段４が採用されているから、極めて簡易構造でありながら前述したスラリ濃度測定の高精度化を確実に達成し得ることになる。
【００４０】
尚、本発明は、本実施例に限られるものではなく、各構成要件の具体的構成は適宜設計し得るものである。
【図面の簡単な説明】
【００４１】
【図１】本実施例を示す斜視図である。
【図２】本実施例を示す側面図である。
【符号の説明】
【００４２】
１  スラリ被測定部
２  スラリ導入部
３  スラリ導出部
４  移動手段
５  管部材
【図１】
2005338028.tif 000003
【図２】
2005338028.tif 000004